(57)【要約】【課題】被介護者の身体との密着性を高め、患部の位置から容易に移動してしまわない褥瘡防止・治療用パッドを提供する。【解決手段】褥瘡防止・治療用パッドは、人体の皮膚に当てた場合の位置ずれを抑え得る低硬度のシリコーンゴムなどのゴム材料等のエラストマーから成り、穴部３を形成した場合に当該穴部３が仰臥した人の仙骨部または肩甲部に生じる褥瘡６を収納するのに足る深さとなる一定の厚さを有する面状体２と、前記面状体２の略中央に、前記仰臥した人の仙骨部または肩甲部に生じる褥瘡６をカバーする大きさで設けられた穴部３とを有する。【選択図】図１
0003122350.tif 000002
【実用新案登録請求の範囲】
【請求項１】
人体の皮膚に当てた場合の位置ずれを抑え得る低硬度のエラストマーから成り、穴部を形成した場合に当該穴部が仰臥した人の褥瘡を収納するのに足る深さとなる一定の厚さを有する面状体と、
前記面状体の略中央に、前記仰臥した人の褥瘡をカバーする大きさで設けられた穴部と、を有することを特徴とする褥瘡防止・治療用パッド。
【請求項２】
前記エラストマーは、ゴム材料であることを特徴とする請求項１に記載の褥瘡防止・治療用パッド。
【請求項３】
前記面状体が円形の輪郭を有し、その中央に前記穴部として円形の貫通孔を有することを特徴とする請求項１又は２に記載の褥瘡防止・治療用パッド。
【請求項４】
人体の皮膚に当てた場合の位置ずれを抑え得る低硬度のエラストマーから成り、穴部を形成した場合に当該穴部が仰臥した人の仙骨部に生じる褥瘡を収納するのに足る深さとなる一定の厚さを有する面状体を有し、
前記面状体が、仰臥した人の臀部を支持する矩形状の受けパッドとして形成され、その上下の長さが、背部下部近傍から大腿の付け根の近傍までの長さを有すると共に、左右の長さが、臀部の両側間に相当する長さを有し、さらに、仰臥した人の腰部の両脇を固定するための隆起部を備え、
前記受けパッドが、前記仰臥した人の仙骨部に生じる褥瘡に対応する箇所に、当該褥瘡をカバーする大きさの穴部を有する、
ことを特徴とする褥瘡防止・治療用パッド。
【請求項５】
前記エラストマーは、ゴム材料であることを特徴とする請求項４に記載の褥瘡防止・治療用パッド。
【請求項６】
人体の皮膚に当てた場合の位置ずれを抑え得る低硬度のエラストマーから成り、穴部を形成した場合に当該穴部が仰臥した人の肩甲部に生じる褥瘡を収納するのに足る深さとなる一定の厚さを有する面状体を有し、
前記面状体が、仰臥した人の肩甲骨部を支持する矩形状の受けパッドとして形成され、その上下の長さが、第９ないし第１２肋骨上部近傍から肩をカバーするまでの長さを有すると共に、左右の長さが、胸部中央から上腕をカバーするまでの長さを有し、さらに、仰臥した人の脇の下に相当する部位に体を固定するための隆起部を備え、
前記受けパッドが、前記仰臥した人の肩甲部に生じる褥瘡に対応する箇所に、当該褥瘡をカバーする大きさの穴部を有する、
ことを特徴とする褥瘡防止・治療用パッド。
【請求項７】
前記エラストマーは、ゴム材料であることを特徴とする請求項６に記載の褥瘡防止・治療用パッド。
【請求項８】
前記エラストマーは、硬度が２度〜３０度（ＪＩＳ−Ａ）のゴム材料であることを特徴とする請求項１〜７のいずれか１つに記載の褥瘡防止・治療用パッド。
【請求項９】
前記エラストマーは、硬度が５度〜２５度（ＪＩＳ−Ａ）のゴム材料であることを特徴とする請求項１〜７のいずれか１つに記載の褥瘡防止・治療用パッド。
【請求項１０】
前記エラストマーは、シリコーンゴムであることを特徴とする請求項１〜９のいずれか１つに記載の褥瘡防止・治療用パッド。
【請求項１１】
前記エラストマーは、熱可塑性エラストマーであることを特徴とする請求項１、４、又は６に記載の褥瘡防止・治療用パッド。
【請求項１２】
人体の皮膚に当てた場合の位置ずれを抑え得る低硬度のエラストマーから成り、穴部を形成した場合に当該穴部が仰臥した人の褥瘡を収納するのに足る深さとなる一定の厚さを有する円形の面状体から構成されていることを特徴とする褥瘡防止・治療用パッド。
【請求項１３】
前記エラストマーは、ゴム材料であることを特徴とする請求項１２に記載の褥瘡防止・治療用パッド。
【請求項１４】
人体の皮膚に当てた場合の位置ずれを抑え得る低硬度のエラストマーから成り、穴部を形成した場合に当該穴部が仰臥した人の仙骨部に生じる褥瘡を収納するのに足る深さとなる一定の厚さを有する面状体を有し、
前記面状体が、仰臥した人の臀部を支持する矩形状の受けパッドとして形成され、その上下の長さが、背部下部近傍から大腿の付け根の近傍までの長さを有すると共に、左右の長さが、臀部の両側間に相当する長さを有し、さらに、仰臥した人の腰部の両脇を固定するための隆起部を備えた
ことを特徴とする褥瘡防止・治療用パッド。
【請求項１５】
前記エラストマーは、ゴム材料であることを特徴とする請求項１４に記載の褥瘡防止・治療用パッド。
【請求項１６】
人体の皮膚に当てた場合の位置ずれを抑え得る低硬度のエラストマーから成り、穴部を形成した場合に当該穴部が仰臥した人の肩甲部に生じる褥瘡を収納するのに足る深さとなる一定の厚さを有する面状体を有し、
前記面状体が、仰臥した人の肩甲骨部を支持する矩形状の受けパッドとして形成され、その上下の長さが、第９ないし第１２肋骨上部近傍から肩をカバーするまでの長さを有すると共に、左右の長さが、胸部中央から上腕をカバーするまでの長さを有し、さらに、仰臥した人の脇の下に相当する部位に体を固定するための隆起部を備えた
ことを特徴とする記載の褥瘡防止・治療用パッド。
【請求項１７】
前記エラストマーは、ゴム材料であることを特徴とする請求項１６に記載の褥瘡防止・治療用パッド。
【請求項１８】
前記面状体は、仰臥した人の褥瘡をカバーする任意の形状および大きさの穴部を形成するための始端となる小径の孔を有することを特徴とする請求項１２〜１７のいずれか１つに記載の褥瘡防止・治療用パッド。
【請求項１９】
前記エラストマーは、硬度が２度〜３０度（ＪＩＳ−Ａ）のシリコーンゴムであることを特徴とする請求項１２〜１８のいずれか１つに記載の褥瘡防止・治療用パッド。
【請求項２０】
前記エラストマーは、熱可塑性エラストマーであることを特徴とする請求項１２、１４、又は１６に記載の褥瘡防止・治療用パッド。
【考案の詳細な説明】
【技術分野】
【０００１】
本考案は、所謂寝たきりの老人等に生じる褥瘡（床ずれ）の防止および同治療の補助に用いる褥瘡防止・治療用パッドに関する。
【背景技術】
【０００２】
褥瘡（床ずれ）は、長期臥床中の被介護者の背中や腰などの骨の突出部位に発生する壊死性の皮膚障害である。褥瘡の頻発する部位は、仰臥位では仙骨部、踵部、肩甲部に、側臥位時では腸骨部であることが臨床上分かっている。このうち尾骨近くにある仙骨部には体重の半分近くが加わるため、最も褥瘡が発生しやすく、全体の６割近くを占めている。褥瘡は骨突起部の周辺に集中して発生しており、この部位の圧力の集中を避けるようにすることで事実上褥瘡を防止または解消できるといえる。
【０００３】
従来、褥瘡に対する治療の補助に関しては、主にドーナツ型の座部から成るクッション（円座）が用いられており、その使用の際の改良がいろいろ行われている（例えば、特許文献１参照）。しかし、一般に、円座はファスナーを縫着した円環状の袋体内にクッション本体を詰めた構造を有し、尻に敷く大きさのものであるため、以下に述べるような幾つかの問題点がある。
【０００４】
（１）円座の上記材質および構造的な問題により、圧力が分散しづらい状態で加わるため、血管の圧迫による創部の鬱血または虚血が生じ易い。すなわち、上記構造の円座では、かえって患部の周囲を圧迫し、新たに褥瘡（床ずれ）を発生するおそれがある。
【０００５】
（２）円座の円環状の袋体内に充填されているクッション本体は、ポリウレタンホームなどであるため容易に変形しやすい。この円座が容易に変形しやすいことに起因して、患者身体の深部組織のずれが生じ易い。
【０００６】
（３）円座の外皮をなす円環状の袋体は、通気性や敷き心地を重視した布などの材料からできているため、身体との密着性に乏しく、患部の位置から容易に移動してしまう。したがって、被介護者は、創部よりも円座が当たる周囲皮膚に疼痛があるため、自ら疼痛を減少させようとして、むしろ円座の圧迫が大きい部位を褥瘡部位で受けようとし、その結果として褥瘡を悪化させてしまう。
【０００７】
（４）円座の中心部の皮膚が引きつり、褥瘡部の血流を悪化させることにより更に褥瘡を悪化させてしまう、こと等が挙げられる。
【０００８】
現在褥瘡に対する最も有効な予防および治療手段は、頻繁な体位交換程度しかなく、２０１０年には寝たきり老人が１５５〜２０万人にも達すると目され、寝たきり老人の多くが介護保険の下で、各施設や在宅で治療を受けるものと考えられる。このため、より有効な褥瘡の治療および予防に関する器具の開発が必要とされている。
【特許文献１】特開平１１−２３５３６４号公報
【考案の開示】
【考案が解決しようとする課題】
【０００９】
本考案は上記従来技術の有する問題点に鑑みてなされたものであり、本考案の目的は、被介護者の身体との密着性を高め、患部の位置から容易に移動してしまわない褥瘡防止・治療用パッドを提供することにある。
【課題を解決するための手段】
【００１０】
本考案の上記目的は、下記の手段によって達成される。
【００１１】
（１）人体の皮膚に当てた場合の位置ずれを抑え得る低硬度のエラストマーから成り、穴部を形成した場合に当該穴部が仰臥した人の褥瘡を収納するのに足る深さとなる一定の厚さを有する面状体と、前記面状体の略中央に、前記仰臥した人の褥瘡をカバーする大きさで設けられた穴部と、を有することを特徴とする褥瘡防止・治療用パッド。
【００１２】
（２）前記エラストマーは、ゴム材料であることを特徴とする上記（１）に記載の褥瘡防止・治療用パッド。
【００１３】
（３）前記面状体が円形の輪郭を有し、その中央に前記穴部として円形の貫通孔を有することを特徴とする上記（１）又は（２）に記載の褥瘡防止・治療用パッド。
【００１４】
（４）人体の皮膚に当てた場合の位置ずれを抑え得る低硬度のエラストマーから成り、穴部を形成した場合に当該穴部が仰臥した人の仙骨部に生じる褥瘡を収納するのに足る深さとなる一定の厚さを有する面状体を有し、前記面状体が、仰臥した人の臀部を支持する矩形状の受けパッドとして形成され、その上下の長さが、背部下部近傍から大腿の付け根の近傍までの長さを有すると共に、左右の長さが、臀部の両側間に相当する長さを有し、さらに、仰臥した人の腰部の両脇を固定するための隆起部を備え、前記受けパッドが、前記仰臥した人の仙骨部に生じる褥瘡に対応する箇所に、当該褥瘡をカバーする大きさの穴部を有する、ことを特徴とする褥瘡防止・治療用パッド。
【００１５】
（５）前記エラストマーは、ゴム材料であることを特徴とする上記（４）に記載の褥瘡防止・治療用パッド。
【００１６】
（６）人体の皮膚に当てた場合の位置ずれを抑え得る低硬度のエラストマーから成り、穴部を形成した場合に当該穴部が仰臥した人の肩甲部に生じる褥瘡を収納するのに足る深さとなる一定の厚さを有する面状体を有し、前記面状体が、仰臥した人の肩甲骨部を支持する矩形状の受けパッドとして形成され、その上下の長さが、第９ないし第１２肋骨上部近傍から肩をカバーするまでの長さを有すると共に、左右の長さが、胸部中央から上腕をカバーするまでの長さを有し、さらに、仰臥した人の脇の下に相当する部位に体を固定するための隆起部を備え、前記受けパッドが、前記仰臥した人の肩甲部に生じる褥瘡に対応する箇所に、当該褥瘡をカバーする大きさの穴部を有する、ことを特徴とする褥瘡防止・治療用パッド。
【００１７】
（７）前記エラストマーは、ゴム材料であることを特徴とする上記（６）に記載の褥瘡防止・治療用パッド。
【００１８】
（８）前記エラストマーは、硬度が２度〜３０度（ＪＩＳ−Ａ）のゴム材料であることを特徴とする上記（１）〜（７）のいずれか１つに記載の褥瘡防止・治療用パッド。
【００１９】
（９）前記エラストマーは、硬度が５度〜２５度（ＪＩＳ−Ａ）のゴム材料であることを特徴とする上記（１）〜（７）のいずれか１つに記載の褥瘡防止・治療用パッド。
【００２０】
（１０）前記エラストマーは、シリコーンゴムであることを特徴とする上記（１）〜（９）のいずれか１つに記載の褥瘡防止・治療用パッド。
【００２１】
（１１）前記エラストマーは、熱可塑性エラストマーであることを特徴とする上記（１）、（４）、又は（６）に記載の褥瘡防止・治療用パッド。
【００２２】
（１２）人体の皮膚に当てた場合の位置ずれを抑え得る低硬度のエラストマーから成り、穴部を形成した場合に当該穴部が仰臥した人の褥瘡を収納するのに足る深さとなる一定の厚さを有する円形の面状体から構成されていることを特徴とする褥瘡防止・治療用パッド。
【００２３】
（１３）前記エラストマーは、ゴム材料であることを特徴とする上記（１２）に記載の褥瘡防止・治療用パッド。
【００２４】
（１４）人体の皮膚に当てた場合の位置ずれを抑え得る低硬度のエラストマーから成り、穴部を形成した場合に当該穴部が仰臥した人の仙骨部に生じる褥瘡を収納するのに足る深さとなる一定の厚さを有する面状体を有し、前記面状体が、仰臥した人の臀部を支持する矩形状の受けパッドとして形成され、その上下の長さが、背部下部近傍から大腿の付け根の近傍までの長さを有すると共に、左右の長さが、臀部の両側間に相当する長さを有し、さらに、仰臥した人の腰部の両脇を固定するための隆起部を備えたことを特徴とする褥瘡防止・治療用パッド。
【００２５】
（１５）前記エラストマーは、ゴム材料であることを特徴とする上記（１４）に記載の褥瘡防止・治療用パッド。
【００２６】
（１６）人体の皮膚に当てた場合の位置ずれを抑え得る低硬度のエラストマーから成り、穴部を形成した場合に当該穴部が仰臥した人の肩甲部に生じる褥瘡を収納するのに足る深さとなる一定の厚さを有する面状体を有し、前記面状体が、仰臥した人の肩甲骨部を支持する矩形状の受けパッドとして形成され、その上下の長さが、第９ないし第１２肋骨上部近傍から肩をカバーするまでの長さを有すると共に、左右の長さが、胸部中央から上腕をカバーするまでの長さを有し、さらに、仰臥した人の脇の下に相当する部位に体を固定するための隆起部を備えたことを特徴とする記載の褥瘡防止・治療用パッド。
【００２７】
（１７）前記エラストマーは、ゴム材料であることを特徴とする上記（１６）に記載の褥瘡防止・治療用パッド。
【００２８】
（１８）前記面状体は、仰臥した人の褥瘡をカバーする任意の形状および大きさの穴部を形成するための始端となる小径の孔を有することを特徴とする上記（１２）〜（１７）のいずれか１つに記載の褥瘡防止・治療用パッド。
【００２９】
（１９）前記エラストマーは、硬度が２度〜３０度（ＪＩＳ−Ａ）のシリコーンゴムであることを特徴とする上記（１２）〜（１８）のいずれか１つに記載の褥瘡防止・治療用パッド。
【００３０】
（２０）前記エラストマーは、熱可塑性エラストマーであることを特徴とする上記（１２）、（１４）、又は（１６）に記載の褥瘡防止・治療用パッド。
【考案の効果】
【００３１】
本考案の褥瘡防止・治療用パッドは、その面状体が、人体の皮膚に当てた場合の位置ずれを抑え得る低硬度のゴム材料等のエラストマーにより形成されている。従って、被介護者の体に直接にまたは衣類を通して間接に当てた場合に、密着性が従来よりも高く、横方向への応力に対しても強靱であることから、被介護者が安静仰臥位で臥床したとき、例えば仙骨部または肩甲部における患部の位置から容易に移動しない。このことは、被介護者自らが疼痛を減少させようとして本考案の褥瘡防止・治療用パッドを褥瘡部に移動させることが、物理的に行い難いことを意味しており、この結果、医学的に良好な予防および治療が継続できることから、従来の円座等が抱えていた問題を解決し得るものである。
【００３２】
この結果、穴部の中に患部の褥瘡を収納し保護した状態で体重をかけた場合、その体圧に対し、患部の褥瘡に対する減圧作用が適正に確保され、褥瘡の発症の予防や褥瘡の治癒が効果的に行われる。
【００３３】
また本考案における褥瘡防止・治療用パッドは、その面状体が内実の低硬度のゴム材料等のエラストマーからできているため、従来の袋体の中に充填物を入れた嵩高な円座等に比べ、厚さが薄くなることから、褥瘡周辺の皮膚組織に対する圧力を、より均一に分散させることが可能となる。結果として、創部の鬱血、虚血を起こす可能性が減少され、被介護者が訴える違和感および疼痛なども少ない。
【００３４】
故に、本考案の褥瘡防止・治療用パッドによれば、有効な褥瘡の予防および治療の補助が可能となる。
【考案を実施するための最良の形態】
【００３５】
以下、本考案の実施の形態を、図面を参照して詳細に説明する。
【００３６】
図１は、本考案の第１の実施形態にかかる褥瘡防止・治療用パッド１を示したもので、（ａ）は斜視図、（ｂ）は断面図である。この褥瘡防止・治療用パッド１は、人体の皮膚に当てた場合の位置ずれを抑え得る、柔らかく、弾性に富む材料から成る円形の面状体２と、この面状体２の略中央に設けた貫通孔から成る穴部３とを有し、上面から見て全体として円環状に構成されている。なお、角部を丸みを持たせても良い。
【００３７】
面状体２の材料としては、軟質ゴム等の高分子化合物のうち、柔らかく、弾性に富み、かつ圧力、横ずれ応力等の外圧に対して強い材料が使用される。より具体的には、面状体２は、人体の皮膚に当てた場合の当該面状体と人体との位置ずれの発生を抑え得る低硬度のエラストマーから成り、本実施形態ではシリコーンゴム等のゴム材料から成る。ゴム材料の硬度は、好ましくは２度〜３０度、より好ましくは５度〜２５度（ＪＩＳ−Ａ）である。なお、面状体２のゴム材料等のエラストマーには、白金（Ｐｔ）、クロム（Ｃｒ）等の添加剤が含まれていてもよい。
【００３８】
この面状体２は、上記の穴部３を形成した場合に、当該穴部３が仰臥した人の褥瘡を収納するのに足る深さとなる一定の厚さを有する。
【００３９】
また、この面状体２は、患部の褥瘡およびその周囲をカバーする大きさに形成される。後述するように、褥瘡には、これより大きいサイズのガーゼやドレッシングテープ等の手当て用品４をあてがう（図３（ａ）参照）が、上記した面状体２は、このガーゼ等の手当て用品４より大きいサイズで且つ人体の横幅よりは小さい大きさを有する。この実施形態の場合、面状体２は円形に形成されているが、楕円形、四角形、その他の多角形に形成されていても良い。
【００４０】
また、上記面状体２に設けられる穴部３は、仰臥した人の例えば仙骨部または肩甲部に生じる褥瘡をカバーする大きさに設けられる。穴部３の大きさは、例えば直径２〜１６ｃｍである。
【００４１】
上記構成の褥瘡防止・治療用パッド１を腰部褥瘡に使用する際には、例えば図２に示すように、仰臥した状態の被介護者５の腰部の下に位置させる。このとき、被介護者５の仙骨部に生じる褥瘡６の中心を、褥瘡防止・治療用パッド１の穴部３の中心に合わせる。
【００４２】
図３に、この褥瘡防止・治療用パッド１の使用例を段階を追って示す。まず、図３（ａ）に示すように、患部の褥瘡６に、これより大きいサイズのガーゼやドレッシングテープ等の手当て用品４をあてがい、その手当て用品４をあてがった患部が穴部３の中心に来るように、褥瘡防止・治療用パッド１の位置を合わせる。なお符号５ａは被介護者５の背骨を示す。
【００４３】
次に、図３（ｂ）に示すように、被介護者５の体重を褥瘡防止・治療用パッド１にかけると、患部の褥瘡６が穴部３の中に入り込む。また、褥瘡防止・治療用パッド１の面状体２が、中央部分は手当て用品４の上を覆う形となるが、面状体２のそれより外側の外周領域部分は被介護者５の皮膚と直接に接触する。
【００４４】
更に、図３（ｃ）に示すように、被介護者５の体重を褥瘡防止・治療用パッド１に掛けると、面状体２が上から押されて厚さが多少収縮するが、面状体２は内実のシリコーンゴム等のエラストマーである弾性材料からできているため、患部の褥瘡６が穴部３内に沈み込み且つ床７から浮いた状態でバランスする。これにより褥瘡６に係る力は、その周囲に分散される。また、これと同時に、褥瘡防止・治療用パッド１の面状体２が、中央部分は手当て用品４の上を覆う形となるが、面状体２のそれより外側の外周領域部分は、被介護者５の皮膚と直接に密接し、以後その密接した位置から面状体２がずれなくなる。
【００４５】
最終的には、図３（ｄ）に示すように、被介護者５の背中が床７に付き、褥瘡防止・治療用パッド１の面状体２が少し扁平となる。しかし、このとき面状体２は一定の厚さを残しており、褥瘡６が穴部３の中で体重による圧迫を受けずに保護されている状態となり、仙骨部における循環障害が解消され、褥瘡防止・治療用パッド１が褥瘡６の発症の予防と治療に寄与することとなる。
【００４６】
図４に本考案の第２の実施形態を示す。上記第１の実施形態では、最初から穴部３を形成したが、この第２の実施形態は、当初は穴部３を有せず、被介護者５の褥瘡６の大きさに合わせて、介護者等がハサミやカッターナイフなどの用具を用いて穴部３を形成する例である。
【００４７】
図４（ａ）に示す褥瘡防止・治療用パッド８は、人体の皮膚に当てた場合に位置ずれを抑え得る低硬度のゴム材料等のエラストマーから成り、穴部３を形成した場合に当該穴部３が仰臥した人の例えば仙骨部または肩甲部に生じる褥瘡６を収納するのに足る深さとなる一定の厚さを有する円形の面状体２から構成されている。この穴なし褥瘡防止・治療用パッド８は、介護者が、被介護者５の褥瘡６の位置や大きさに合わせて、図４（ｂ）のように、ハサミやカッターナイフなどの穴開け用具を用いて面状体２の一部を例えば仙骨部を中心として切り抜き、これにより所望の穴部３を形成する。この穴開け用具で開ける穴部３の位置や形状寸法は任意に決定することができ、例えば穴なし褥瘡防止・治療用パッド８に多角形や十字形や星形の穴部３を必要な大きさで開けることができる。図４（ｂ）は三角形の穴部３を形成した例を示す。
【００４８】
図５に本考案の第３の実施形態を示す。この図５（ａ）に示す褥瘡防止・治療用パッド８は、図４（ａ）で説明した穴なし褥瘡防止・治療用パッド８の面状体２に、仰臥した人の褥瘡６をカバーする任意の形状および大きさの穴部３を形成するための始端となる小径の始端孔９を設けた例である。この穴なし褥瘡防止・治療用パッド８の場合、介護者が、ハサミやカッターナイフなどの穴開け用具を用いて、始端孔９から、面状体２に所望の穴部３を開ける。すなわち、被介護者５の褥瘡６の位置や大きさに合わせて、面状体２の一部を例えば仙骨骨突出部を中心として、始端孔９から図５（ｂ）のように切り抜き、これにより所望の穴部３を形成する。図５（ｂ）は十字形の穴部３を形成した例を示す。
【００４９】
図６に本考案の第４の実施形態を示す。この図６に示す褥瘡防止・治療用パッド１０は、上記の面状体２が、仰臥した人の臀部を支持する矩形状の受けパッド１１として形成され、その上下の長さＬが、背部下部近傍から大腿の付け根の近傍までの長さを有すると共に、左右の長さＷ１が、臀部の両側間に相当する長さを有し、さらに、仰臥した人の腰部の両脇を固定するための隆起部１２を備える。また、上記の受けパッド１１が、仰臥した人の仙骨部に生じる褥瘡６に対応する箇所に、当該褥瘡６をカバーする大きさの穴部３を有する。
【００５０】
図７に本考案の第５の実施形態を示す。これは、図６に示す褥瘡防止・治療用パッド１０の面状体２のように予め穴部３を設けず、後に介護者等によって穴部３を開けるようにした、穴なし褥瘡防止・治療用パッド１３の形態例である。
【００５１】
図８に本考案の第６の実施形態を示す。この図８に示す褥瘡防止・治療用パッド１４は、図７の穴なし褥瘡防止・治療用パッド１３の面状体２に、仰臥した人の褥瘡６をカバーする任意の形状および大きさの穴部３を形成するための始端となる小径の始端孔９を、図８（ａ）の如く設けた例である。この穴なし褥瘡防止・治療用パッド１４の場合、介護者が、ハサミやカッターナイフなどの穴開け用具を用いて、始端孔９から、図８（ｂ）に示すように面状体２に所望の穴部３を開ける。
【００５２】
図９に本考案の第７の実施形態を示す。この図９に示す褥瘡防止・治療用パッド１５は、上記の面状体２が、仰臥した人の肩甲骨部を支持する矩形状の受けパッド１６として形成され、その上下の長さＬ２が、第９ないし第１２肋骨上部近傍から肩（鎖骨付近）をカバーするまでの長さを有すると共に、左右の長さＷ２が、胸部中央（胸骨付近）から上腕（上腕骨の近傍）をカバーするまでの長さを有し、さらに、仰臥した人の脇の下に相当する部位に体を固定するための隆起部１７を備える。従って、隆起部１７を境として上腕を支持する領域Ａ２と、脇より内側の体の部位を支持する領域Ａ１とを有する。また、上記の受けパッド１６が、仰臥した人の肩甲部に生じる褥瘡６に対応する箇所に、当該褥瘡６をカバーする大きさの穴部３を有する。
【００５３】
図１０に本考案の第８の実施形態を示す。これは、図９に示す褥瘡防止・治療用パッド１５の面状体２のように予め穴部３を設けず、後に介護者等によって穴部３を開けるようにした、穴なし褥瘡防止・治療用パッド１８の形態例である。
【００５４】
図１１に本考案の第９の実施形態を示す。この図１１に示す褥瘡防止・治療用パッド１９は、図１０の穴なし褥瘡防止・治療用パッド１８の面状体２に、仰臥した人の褥瘡６をカバーする任意の形状および大きさの穴部３を形成するための始端となる小径の始端孔９を、図１１（ａ）の如く設けた例である。この穴なし褥瘡防止・治療用パッド１９の場合、介護者が、ハサミやカッターナイフなどの穴開け用具を用いて、始端孔９から、図１１（ｂ）に示すように面状体２に所望の穴部３を開ける。
【００５５】
上記第１〜第９の実施形態で述べた褥瘡防止・治療用パッドは、その面状体２が、人体の皮膚に当てた場合の位置ずれを抑え得る低硬度のゴム材料等のエラストマーにより形成されている。従って、被介護者の体に直接当てた場合に、密着性が従来よりも高く、横方向への応力に対しても強靱であることから、被介護者が安静仰臥位で臥床したとき、例えば仙骨部または肩甲部における患部の位置から容易に移動しない。この効果は、衣類を通して間接に褥瘡防止・治療用パッドを患部に当てた場合にも得られる。
【００５６】
この結果、患部の褥瘡６に対する減圧作用が常に適正に確保され、褥瘡６の発症の予防や褥瘡６の治癒が効果的に行われる。従って、例えば褥瘡が一定以上（概略４ｃｍ以上）に広がった褥瘡６に対しても、治癒を遷延させることなく、効果的に治療を行うことができる。また、従来の円座等に比べ厚さが薄く、体圧が均一に分散されるため、周辺組織への圧迫が減少し、周辺部での血行の障害が減少され、被介護者５が訴える違和感および疼痛なども少ない。
【００５７】
上記実施形態では、面状体２の材料としてシリコーン系のゴム材料等のエラストマーを用いたが、面状体２の材料は、人体の皮膚に当てた場合の位置ずれを抑え得る低硬度のゴム材料等のエラストマーであればよく、サイバースキン系、軟質ゴム系、熱可塑性エラストマー等の他の高分子化合物を用いることもできる。
【００５８】
また褥瘡防止・治療用パッド１の大きさおよび形態は、褥瘡６の生じる部位および形態が一様でないため、大きさ、厚さ、形態を一律に規定することはできないが、「人間工学的になるべく人体に密着すると共に、かつ圧に対して一様な分散がなされ、かつ均一に反作用を人体に対して返す形態」とするのがよい。その基本形態としては、上述した円形の他、楕円形、四角形、多角形等の形状を採ることができる。
【図面の簡単な説明】
【００５９】
【図１】本考案の第１の実施形態に係る褥瘡防止・治療用パッドを示したもので、（ａ）は斜視図、（ｂ）は断面図である。
【図２】本考案の第１の実施形態に係る褥瘡防止・治療用パッドの使用例を示した概略図である。
【図３】本考案の第１の実施形態に係る褥瘡防止・治療用パッドの使用形態を示した図である。
【図４】本考案の第２の実施形態に係る褥瘡防止・治療用パッドを示したもので、（ａ）は斜視図、（ｂ）は穴部を形成した後の斜視図である。
【図５】本考案の第３の実施形態に係る褥瘡防止・治療用パッドを示したもので、（ａ）は斜視図、（ｂ）は穴部を形成した後の斜視図である。
【図６】本考案の第４の実施形態に係る仙骨部の褥瘡防止・治療用パッドを示した斜視図である。
【図７】本考案の第５の実施形態に係る仙骨部の褥瘡防止・治療用パッドを示した斜視図である。
【図８】本考案の第６の実施形態に係る仙骨部の褥瘡防止・治療用パッドを示したもので、（ａ）は始端孔を有する状態の斜視図、（ｂ）は穴部を形成した後の斜視図である。
【図９】本考案の第７の実施形態に係る肩甲部の褥瘡防止・治療用パッドを示した斜視図である。
【図１０】本考案の第８の実施形態に係る肩甲部の褥瘡防止・治療用パッドを示した斜視図である。
【図１１】本考案の第９の実施形態に係る肩甲部の褥瘡防止・治療用パッドを示したもので、（ａ）は始端孔を有する状態の斜視図、（ｂ）は穴部を形成した後の斜視図である。
【符号の説明】
【００６０】
１      褥瘡防止・治療用パッド、
２      面状体、
３      穴部、
４      手当て用品、
５      被介護者、
５ａ      背骨、
６      褥瘡、
７      床、
８      褥瘡防止・治療用パッド、
９      始端孔、
１０      褥瘡防止・治療用パッド、
１１      受けパッド、
１２      隆起部、
１３      褥瘡防止・治療用パッド、
１４      褥瘡防止・治療用パッド、
１５      褥瘡防止・治療用パッド、
１６      受けパッド、
１７      隆起部、
１８      褥瘡防止・治療用パッド、
１９      褥瘡防止・治療用パッド。
【図１】
0003122350.tif 000003
【図２】
0003122350.tif 000004
【図３】
0003122350.tif 000005
【図４】
0003122350.tif 000006
【図５】
0003122350.tif 000007
【図６】
0003122350.tif 000008
【図７】
0003122350.tif 000009
【図８】
0003122350.tif 000010
【図９】
0003122350.tif 000011
【図１０】
0003122350.tif 000012
【図１１】
0003122350.tif 000013